【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
管理装置が所属する通信ネットワークに所属し、前記管理装置と同じ移動手段に備えられる電波検出装置であって、
前記管理装置が所属する無線ネットワークの無線通信で使用可能な各々の周波数帯においてキャリアセンスを行い、前記無線ネットワークに所属していない電波発生源から出力される干渉候補電波を検出する干渉候補電波検出部と、
前記干渉候補電波が検出された周波数帯を示す干渉候補電波周波数帯情報を含む干渉候補電波情報を生成する干渉候補電波情報生成部と、
前記管理装置が、前記干渉候補電波検出部が前記干渉候補電波を検出した位置に到達する前に、前記通信ネットワークを介して、前記干渉候補電波情報を前記管理装置に送信する干渉候補電波情報送信部と、を備え、
前記移動手段が移動する方向において、前記管理装置よりも前方に配置されていること
を特徴とする電波検出装置。
【請求項２】
時刻情報を提供する時刻情報提供部と、
前記管理装置と前記電波検出装置との間の距離を示す装置間距離情報を提供する装置間距離情報提供部と、
前記管理装置の移動速度を示す移動速度情報を提供する移動速度情報提供部と、
前記装置間距離情報で示される距離と、前記移動速度情報で示される移動速度とから干渉開始予想時間を算出し、前記時刻情報で示される時刻に前記干渉開始予想時間を加算することで、干渉開始予想時刻を算出する干渉開始予想時刻算出部と
をさらに備え、
前記干渉候補電波情報生成部は、前記干渉開始予想時刻を示す干渉開始予想時刻情報を前記干渉候補電波情報に含めること
を特徴とする請求項１に記載の電波検出装置。
【請求項３】
前記干渉候補電波検出部は、前記干渉候補電波が検出された場合には、前記干渉候補電波が検出された周波数帯において、前記キャリアセンスを所定時間継続して行い、
前記干渉候補電波情報生成部は、前記所定時間において、前記干渉候補電波が検出された時間が予め定められた閾値時間よりも長い場合に、前記干渉候補電波情報を生成すること
を特徴とする請求項１又は２に記載の電波検出装置。
【請求項４】
時刻情報を提供する時刻情報提供部をさらに備え、
前記干渉候補電波情報生成部は、前記時刻情報で示される時刻を検出時刻とし、当該検出時刻を示す検出時刻情報を前記干渉候補電波情報に含めること
を特徴とする請求項１から３の何れか一項に記載の電波検出装置。
【請求項５】
電波検出装置が所属する通信ネットワークに所属し、且つ、無線ネットワークに所属し、前記電波検出装置と同じ移動手段に備えられる管理装置であって、
前記電波検出装置より、前記通信ネットワークを介して、前記干渉候補電波が検出された周波数帯を示す干渉候補電波周波数帯情報を含む干渉候補電波情報を受信する干渉候補電波情報受信部と、
前記無線ネットワークに所属する無線通信機と無線通信を行う無線通信部と、
前記干渉候補電波周波数帯情報で示される周波数帯と、前記無線通信部が行う無線通信で使用されている周波数帯とが重複する場合には、前記無線通信部が無線通信で使用できる複数の周波数帯のうち、前記干渉候補電波周波数帯情報で示される周波数帯と重複しない他の周波数帯を選択する非干渉周波数帯決定部と
を備え、
前記無線通信部は、前記非干渉周波数帯決定部が前記他の周波数帯を選択すると、無線通信で使用する周波数帯を、前記他の周波数帯に変更し、
前記移動手段が移動する方向において、前記電波検出装置よりも後方に配置されていること
を特徴とする管理装置。
【請求項６】
前記無線通信部は、前記干渉周波数帯決定部の指示に応じて、キャリアセンスを行い、
前記干渉周波数帯決定部は、前記干渉候補電波周波数帯情報で示される周波数帯と重複しない周波数帯のうち、前記キャリアセンスが行われた時間に対する電波が検出された時間の割合が最も小さい周波数帯を、前記他の周波数帯として選択すること
を特徴とする請求項５に記載の管理装置。
【請求項７】
前記管理装置と前記電波検出装置との間の距離を示す装置間距離情報を提供する装置間距離情報提供部と、
前記管理装置の移動速度を示す移動速度情報を提供する移動速度情報提供部と、
前記干渉候補電波情報を前記干渉候補電波情報受信部が受信すると、前記装置間距離情報で示される距離と、前記移動速度情報で示される移動速度とから干渉開始予想時間を算出する干渉開始予想時間算出部と
をさらに備え、
前記無線通信部は、前記干渉開始予想時間が経過する前に、無線通信で使用する周波数帯を、前記他の周波数帯に変更すること
を特徴とする請求項５又は６に記載の管理装置。
【請求項８】
前記管理装置と前記電波検出装置との間の距離を示す装置間距離情報を提供する装置間距離情報提供部と、
前記管理装置の移動速度を示す移動速度情報を提供する移動速度情報提供部と、
前記干渉候補電波情報を前記干渉候補電波情報受信部が受信すると、前記装置間距離情報で示される距離を、前記移動速度情報で示される移動速度で除算することで干渉開始予想時間を算出する干渉開始予想時間算出部と、
時刻情報を提供する時刻情報提供部と
をさらに備え、
前記干渉候補電波情報には、前記干渉候補電波が検出された検出時刻を示す検出時刻情報がさらに含まれており、
前記非干渉周波数帯決定部は、
前記検出時刻情報で示される検出時刻に、前記干渉開始予想時間を加算することで干渉開始予想時刻を算出する処理と、
前記干渉開始予想時刻から前記時刻情報で示される時刻を差し引くことで、干渉開始残時間を算出する処理と
をさらに行い、
前記無線通信部は、前記干渉開始残時間が経過する前に、無線通信で使用する周波数帯を、前記他の周波数帯に変更すること
を特徴とする請求項５又は６の何れか一項に記載の管理装置。
【請求項９】
時刻情報を提供する時刻情報提供部をさらに備え、
前記干渉候補電波情報には、前記干渉候補電波による干渉が始まると予想される時刻である干渉開始予想時刻を示す干渉開始予想時刻情報が含まれており、
前記非干渉周波数帯決定部は、前記干渉開始予想時刻情報で示される干渉開始予想時刻から、前記時刻情報で示される時刻を差し引くことで、干渉開始残時間を算出する処理と、をさらに行い、
前記無線通信部は、前記干渉開始残時間が経過する前に、無線通信で使用する周波数帯を、前記他の周波数帯に変更すること
を特徴とする請求項５又は６の何れか一項に記載の管理装置。
【請求項１０】
電波検出装置と、当該電波検出装置と同じ通信ネットワークに所属し、当該電波検出装置と同じ移動手段に備えられる管理装置とを備える干渉回避ネットワークシステムであって、
前記電波検出装置は、
前記管理装置が所属する無線ネットワークの無線通信で使用可能な各々の周波数帯においてキャリアセンスを行い、前記無線ネットワークに所属していない電波発生源から出力される干渉候補電波を検出する干渉候補電波検出部と、
前記干渉候補電波が検出された周波数帯を示す干渉候補電波周波数帯情報を含む干渉候補電波情報を生成する干渉候補電波情報生成部と、
前記管理装置が、前記干渉候補電波検出部が前記干渉候補電波を検出した位置に到達する前に、前記通信ネットワークを介して、前記干渉候補電波情報を前記管理装置に送信する干渉候補電波情報送信部と
を備え、
前記管理装置は、
前記電波検出装置より、前記通信ネットワークを介して、前記干渉候補電波情報を受信する干渉候補電波情報受信部と、
前記無線ネットワークに所属する無線通信機と無線通信を行う無線通信部と、
前記干渉候補電波周波数帯情報で示される周波数帯と、前記無線通信部が行う無線通信で使用されている周波数帯とが重複する場合には、前記無線通信部が無線通信で使用できる複数の周波数帯のうち、前記干渉候補電波周波数帯情報で示される周波数帯と重複しない他の周波数帯を選択する非干渉周波数帯決定部と
を備え、
前記無線通信部は、前記非干渉周波数帯決定部が前記他の周波数帯を選択すると、無線通信で使用する周波数帯を、前記他の周波数帯に変更し、
前記電波検出装置は、前記移動手段が移動する方向において、前記管理装置よりも前方に配置されていること
を特徴とする干渉回避ネットワークシステム。
【請求項１１】
前記無線通信部は、前記干渉周波数帯決定部の指示に応じて、キャリアセンスを行い、
前記干渉周波数帯決定部は、前記干渉候補電波周波数帯情報で示される周波数帯と重複しない周波数帯のうち、前記キャリアセンスが行われた時間に対する電波が検出された時間の割合が最も小さい周波数帯を、前記他の周波数帯として選択すること
を特徴とする請求項１０に記載の干渉回避ネットワークシステム。
【請求項１２】
前記干渉候補電波検出部は、前記干渉候補電波が検出された場合には、前記干渉候補電波が検出された周波数帯において、前記キャリアセンスを所定時間継続して行い、
前記干渉候補電波情報生成部は、前記所定時間において、前記干渉候補電波が検出された時間が予め定められた閾値時間よりも長い場合に、前記干渉候補電波情報を生成すること
を特徴とする請求項１０又は１１に記載の干渉回避ネットワークシステム。
【請求項１３】
前記管理装置は、
前記管理装置と前記電波検出装置との間の距離を示す装置間距離情報を提供する装置間距離情報提供部と、
前記管理装置の移動速度を示す移動速度情報を提供する移動速度情報提供部と、
前記干渉候補電波情報を前記干渉候補電波情報受信部が受信すると、前記装置間距離情報で示される距離と、前記移動速度情報で示される移動速度とから干渉開始予想時間を算出する干渉開始予想時間算出部と
をさらに備え、
前記無線通信部は、前記干渉開始予想時間が経過する前に、無線通信で使用する周波数帯を、前記他の周波数帯に変更すること
を特徴とする請求項１０又は１１に記載の干渉回避ネットワークシステム。
【請求項１４】
前記電波検出装置は、
第１時刻情報を提供する第１時刻情報提供部をさらに備え、
前記干渉候補電波情報生成部は、前記第１時刻情報で示される時刻を検出時刻とし、当該検出時刻を示す検出時刻情報を前記干渉候補電波情報に含め、
前記管理装置は、
前記管理装置と前記電波検出装置との間の距離を示す装置間距離情報を提供する装置間距離情報提供部と、
前記管理装置の移動速度を示す移動速度情報を提供する移動速度情報提供部と、
前記干渉候補電波情報を前記干渉候補電波情報受信部が受信すると、前記装置間距離情報で示される距離と、前記移動速度情報で示される移動速度とから干渉開始予想時間を算出する干渉開始予想時間算出部と、
第２時刻情報を提供する第２時刻情報提供部と
をさらに備え、
前記非干渉周波数帯決定部は、
前記検出時刻情報で示される検出時刻に、前記干渉開始予想時間を加算することで干渉開始予想時刻を算出する処理と、
前記干渉開始予想時刻から前記第２時刻情報で示される時刻を差し引くことで、干渉開始残時間を算出する処理と、をさらに行い、
前記無線通信部は、前記干渉開始残時間が経過する前に、無線通信で使用する周波数帯を、前記他の周波数帯に変更すること
を特徴とする請求項１０又は１１に記載の干渉回避ネットワークシステム。
【請求項１５】
前記電波検出装置は、
第１時刻情報を提供する第１時刻情報提供部と、
前記管理装置と前記電波検出装置との間の距離を示す装置間距離情報を提供する装置間距離情報提供部と、
前記管理装置の移動速度を示す移動速度情報を提供する移動速度情報提供部と、
前記装置間距離情報で示される距離と、前記移動速度情報で示される移動速度とから干渉開始予想時間を算出し、前記第１時刻情報で示される時刻に前記干渉開始予想時間を加算することで、干渉開始予想時刻を算出する干渉開始予想時刻算出部と
をさらに備え、
前記干渉候補電波情報生成部は、前記干渉開始予想時刻を示す干渉開始予想時刻情報を前記干渉候補電波情報に含め、
前記管理装置は、
第２時刻情報を提供する第２時刻情報提供部をさらに備え、
前記非干渉周波数帯決定部は、前記干渉開始予想時刻情報で示される干渉開始予想時刻から、前記第２時刻情報で示される時刻を差し引くことで、干渉開始残時間を算出する処理をさらに行い、
前記無線通信部は、前記干渉開始残時間が経過する前に、無線通信で使用する周波数帯を、前記他の周波数帯に変更すること
を特徴とする請求項１０又は１１に記載の干渉回避ネットワークシステム。
【請求項１６】
前記電波検出装置は、１編成の列車における先頭車両の先頭部に搭載されており、
前記管理装置は、前記列車の移動方向において、前記電波検出装置よりも後方に搭載されていること
を特徴とする請求項１０から１５の何れか一項に記載の干渉回避ネットワークシステム。
【手続補正２】
【補正対象書類名】明細書
【補正対象項目名】０００６
【補正方法】変更
【補正の内容】
【０００６】
以上の課題を解決するため、本発明に係る電波検出装置は、
管理装置が所属する通信ネットワークに所属し、前記管理装置と同じ移動手段に備えられる電波検出装置であって、
前記管理装置が所属する無線ネットワークの無線通信で使用可能な各々の周波数帯においてキャリアセンスを行い、前記無線ネットワークに所属していない電波発生源から出力される干渉候補電波を検出する干渉候補電波検出部と、
前記干渉候補電波が検出された周波数帯を示す干渉候補電波周波数帯情報を含む干渉候補電波情報を生成する干渉候補電波情報生成部と、
前記管理装置が、前記干渉候補電波検出部が前記干渉候補電波を検出した位置に到達する前に、前記通信ネットワークを介して、前記干渉候補電波情報を前記管理装置に送信する干渉候補電波情報送信部と、を備え、
前記移動手段が移動する方向において、前記管理装置よりも前方に配置されていることを特徴とする。